(57)【要約】本発明は、電気ケーブル（２８）を受容するのに用いられる少なくとも一つの第一開口部（２７）を備えた下側部品（２０）及びカバー（１）を備える壁付アウトレットに関する。カバー（１）又は下側部品（２０）は、電気差込口（２２）を挿入することのできる、少なくとも一つの第二開口部（３）を備える。ケーブル配線部材（２１）は、下側部品（２０）に配設され、ケーブル配線部材は電気ケーブル（２８）を第一開口部（２８）から第二開口部（３）まで所定の方法で配線することを可能とする。
2007510396.tif 000002
【特許請求の範囲】
【請求項１】
電気ケーブルを保持する少なくとも一つの第一開口部を有する下側部品及びカバーを備え、下側部品又はカバーが電気差込口を挿入することのできる少なくとも一つの第二開口部を有する壁付アウトレットにおいて、
配線部材（２１）が下側部品（２０）に配設されており、これにより電気ケーブル（２８）を第一開口部（２７）から第二開口部（３）に向かって所定の方法で配線できることを特徴とする、壁付アウトレット。
【請求項２】
前記配線部材（２１）は下側部品（２０）に着脱可能に接続されることを特徴とする、請求項１に記載の壁付アウトレット。
【請求項３】
前記下側部品（２０）は２つの第一開口部（２７）を有し、前記カバー（１）は２つの第二開口部を有することを特徴とする、請求項１又は２に記載の壁付アウトレット。
【請求項４】
旋回することが可能なフラップ（２）が前記カバー（１）に配設されており、これを用いて前記第二開口部（３）を閉蓋することができることを特徴とする、請求項１〜３のいずれか一項に記載の壁付アウトレット。
【請求項５】
前記フラップ（２）はラッチ溝を有し、前記カバー（１）はラッチ爪を有することを特徴とする、請求項４に記載の壁付アウトレット。
【請求項６】
ヒンジ状シャフト（２５）が下側部品（２０）の両方の端面（２３、２４）に配設され、前記カバー（１）は、前記第二開口部（３）とは反対側の該端面に、ヒンジ状シャフト（２５）と対応する取付け手段（１４）を有することを特徴とする、請求項１〜５のいずれか一項に記載の壁付アウトレット。
【請求項７】
前記配線部材（２１）はばねの形状の部材（３５、３６）を有することを特徴とする、請求項１〜６のいずれか一項に記載の壁付アウトレット。
【請求項８】
前記カバーは鉛封印フック（６）を有することを特徴とする、請求項１〜７のいずれか一項に記載の壁付アウトレット。
【請求項９】
シール材（１１）が前記下側部品（２０）と前記カバー（１）との間に配設されることを特徴とする、請求項１〜８のいずれか一項に記載の壁付アウトレット。
【請求項１０】
取付けねじ用の穴（１２）が前記シール材（１１）とは離間して配設されることを特徴とする、請求項９に記載の壁付アウトレット。
【請求項１１】
取付け方法の指示書（１６）が、前記カバー（１）の底面及び／又は前記下側部品（２０）の上面に取り付けられることを特徴とする、請求項１〜１０のいずれか一項に記載の壁付アウトレット。
【請求項１２】
前記カバー（１）は蓋（８）を有し、該蓋（８）はシール材を有することを特徴とする、請求項１〜１１のいずれか一項に記載の壁付アウトレット。
【請求項１３】
少なくとも１つのヒンジ状シャフト（２５）が前記下側部品（２０）の少なくとも一つの端面（２３、２４）に配設され、前記カバー（１）は対応する取付け手段（１４）を有し、ヒンジ状シャフト（２５）はラッチ凹部（３９）を有し、対応する取付け手段（１４）はラッチ爪を有しており、カバー（１）が折りたたまれる際に制限角度を超えて掛着することを特徴とする、請求項１〜１２のいずれか一項に記載の壁付アウトレット。
【発明の詳細な説明】
【技術分野】
【０００１】
この発明は、特許請求の範囲の請求項１の序文に記載されているような壁付アウトレットに関する。
【背景技術】
【０００２】
壁付アウトレットは、例えば、産業分野における生産ホールで使用されるものであり、下側部品及びカバーを有する。下側部品は壁へと取り付けられており、カバーは、例えば、蝶番を用いて下側部品へヒンジ結合されるか、あるいは下側部品へ螺着下側部品されている。カバー及び／又は下側部品は第一開口部を有し、それを介して電気ケーブルが壁付アウトレットへと挿入される。更に、カバー及び／又は下側部品は電気差込口が配設される第二開口部を有する。このとき、差込口は内側から又は外側から、第二開口部の前方に配設される。そして、電気ケーブルは差込口に接続される。次いで、差込口に適当なプラグを取り付けることで電子機器をケーブルに接続することができ、このようにしてデータの受信及び／又は送信をすることができるようになる。また、差込口の前面に保護キャップを取り付けて、これによって、プラグが挿入されていないときに、差込口を埃及び／又は湿気及び／又は水噴霧から保護することも知られている。
【発明の開示】
【発明が解決しようとする課題】
【０００３】
公知の壁付アウトレットは、カテゴリ５又はカテゴリ６といった転送速度の非常に高いデータケーブルに適さないという欠点がある。
【課題を解決するための手段】
【０００４】
この発明は、高転送速度用データケーブルを接続することを可能とした壁付アウトレットを提供するという技術的な問題に基づいてなされた。
【０００５】
この技術的な問題は、請求項１に記載の特徴部の内容により解決される。この発明のより一層有利な改良は、従属形式請求項から理解することが可能である。
【０００６】
この目的のため、ケーブル配線部材を下側部品に取り付け、これによって電気ケーブルを第一開口部から第二開口部へと所定の方法で配線する。この発明はこの場合、カテゴリ６などの高転送速度用の電気ケーブルでは、特定の曲折半径より小さいねじれ又は曲げを回避しなければならないという知見に基づいている。このことは、壁付アウトレットの領域内のケーブル配線部材によって必然的に確実となる。
【０００７】
一つの好ましい実施態様では、ケーブル配線部材は着脱可能に下側部品に接続されている。また、単純な製品に加え、下側部品及びケーブル配線部材には種々の材料を選択するなおいっそうの自由度があり、このことは、更なる特性と併せて、後に説明するような更なる利点を生む。
【０００８】
更なる好ましい実施態様では、下側部品は２ヶ所の第一開口部を有し、カバーは２ヶ所の第二開口部を有することから、２本の電気ケーブルを、壁接続盤を用いて接続することができる。
【０００９】
更なる好ましい実施態様では、旋回可能であり、第二開口部を閉じるのに使用可能なフラップがカバーに配設される。このことは、プラグが挿入されていないときには、埃又は湿気が差込口内に進入することができないことを意味している。このために、ばねを用いてフラップに圧縮応力を加えることが好ましい。
【００１０】
更なる好ましい実施態様では、フラップはラッチ溝を有し、カバーはラッチ爪を有することから、フラップを畳んで閉じると、これが掛着される。
【００１１】
更なる好ましい実施態様では、ヒンジ状シャフトが下側部品の両方の端面に配設され、第二開口部とは反対側の端面に、カバーはヒンジ状シャフトに対応する取付け手段を有する。したがって、カバーを任意選択で下側部品の両方の端面とヒンジ結合して、第一及び第二開口部を任意選択で同一又は反対側の端面に配設することができる。次いで、このために、着脱可能なケーブル配線部材を、下側部品内で１８０°回転することが好ましい。
【００１２】
更なる好ましい実施態様では、ケーブル配線部材は、ばね形状の部材を有する。ばね形状の部材はケーブル配線部材に帰着し、ケーブル配線部材に接続された差込口は第二開口部に関して所定の方法で整列される。
【００１３】
更なる好ましい実施態様では、カバーは鉛封印フックを有する。フラップが閉じたときには、すなわちプラグが挿入されていないときには、これらの鉛封印フックは壁付アウトレットを鉛封印し、不正な接触を更に困難にする。
【００１４】
更なる好ましい実施態様では、下側部品とカバーとの間にシール材が配設され、好ましくは取付けねじ用の穴がシール材から離れて配設される。
【００１５】
更なる好ましい実施態様では、取付け方法の指示書が、カバーの底面及び／又は下側部品の上面に嵌め込まれる。この目的は、例えば、電気ケーブルを切断しなければならないという位置を技術者に示すためにある。
【００１６】
更なる好ましい実施態様では、カバーは蓋を有し、そしてその蓋はシール材を有している。例えば、好ましくはシール材により水噴霧及び湿気から保護される銘を、好ましくは透明である蓋の下に配設することが可能である。
【００１７】
更なる好ましい実施態様では、少なくとも一つのヒンジ状シャフトを、少なくとも一つの下側部品の端面に配設し、カバーは対応する取付け手段を有し、ヒンジ状シャフトはラッチ凹部を有し、対応する取付け手段はラッチ爪を有しており、カバーは折りたたまれる際に極限角度を超えて掛着する。極限角度は好適には１６０°である。特に、障害を与えることはないが、依然として固定された状態で下側部品に取り付けられる稼動位置にカバーが効果的に移動することができるので、このことは遡及的な取付け作業を単純化する。例えば、このことは、湿気を帯びているかも知れない床の上にカバーを置く必要が無くなることを意味する。
【発明を実施するための最良の形態】
【００１８】
以下、第３の例示的実施態様を参照しつつ、本発明を詳細に説明する。
【００１９】
図１は、壁付アウトレットのカバー１を示している。このカバー１は二つのフラップ２を有しており、これらフラップにより、カバー１の端面の第二開口部３を閉蓋することができる。この図では、右側のフラップ２を閉じ、左側のフラップ２を開いた状態で示している。アタッチメント４は第二開口部に挿入され、挿入可能なプラグと適合する。後でより詳細に説明するように、差込口はこのアタッチメント４の背面側に配置される。シール部材５は、フラップ２の内面に配置され、閉じた状態では、アタッチメント４の開口部３は密封されることで湿気や埃から保護される。二つの鉛封印フック６は、端面の側部に配設され、フラップ２が閉じた状態では、フラップ２の開口を貫いて突出する。次いで、ワイアを鉛封印フック６内の穴７に通し、鉛封印することができ、したがって不正な接触を困難とし、かつ不正な接触の証拠となる。蓋８を有する銘領域が、カバーを下側部品に螺着するための穴９とともに、カバー１の上面に配設される。溝１０が、カバー１の側部のフラップ２の領域内に形成され、フラップ２を開けるための意図的な加圧点として使用される。一方で、フラップ２はばねによる圧縮応力を加えられ、図示してはいないが、カバー上のラッチ爪及びフラップ上のラッチ溝によって掛着される。このことにより、溝１０を介して間接的に力が加えられるので、掛着が単純となる。
【００２０】
図２はカバーを背面から見た図を示している。この場合、シール溝１１は、事実上、カバー１の周囲全体に渡って配設され、ねじ穴１２は溝１１から離間して配設される。二つの取付け手段１４は、フラップ２とは反対側の端面１３に配設される。底面部において、取付け手段１４は夫々、その機能については後で説明するが、ラッチ爪を有する。同様に、２つのアタッチメント４がカバー内に突出していることが分かる。フラップ２に圧縮応力を加えるばね１５は、右側の上部にあることがわかる。取付け補助具１６も同様にカバー１の下面部に取り付けられ、これによって、例えば、電気ケーブルをどのくらいの長さで切断するのか、又は絶縁材をどのくらい剥離させるのかが分かるようになる。
【００２１】
図３は、差込口２２と挿入されたケーブル配線部材２１を備えた、壁付アウトレットの下側部品２０を示している。２つのヒンジ状シャフト２５は、２つの端面夫々に配設され（図５を参照）、そしてカバー１は、取付け手段１４によりヒンジ状シャフト２５上にヒンジ結合することができる。シール材４０用の溝２６は、実質的に下側部品２０の周囲全体に渡って配設される（図４及び５を参照）。下側部品２０の端面２３は電気ケーブル２８用の２つの第一開口部２７を有し、前記ケーブル２８を備えた前記開口部２７は、封止部材２９により密閉することができる。ケーブル配線部材２１は、差込口２２を保持し固定するために、２つのＵ字型リム３０を有する。内側を向いたクランプリブ３１は、このような目的でリブ３０の上面に設けられ、そして差込口２２の上面を摺動する。第一操作モードでは、ケーブル配線部材２１は、Ｕ字型リム３０が端面２４に載るように、下側部品２０に挿入される。これは図３で図示されている。この図では、前記カバー１は取付け手段１４により、端面２３のヒンジ状シャフト２５へとヒンジ結合する。このことは、壁付アウトレットが壁に取り付けられ、電気ケーブルが上部から配線されるときに、図示されてはいないが、プラグによるタッピングが背面部で起こることを意味している。所定の方法により電気ケーブル２８を壁付アウトレット内部に配線するために、電気ケーブル２８を、開口部２７に通し、そして開口部２７から第一ケーブル配線経路３２を介して差込口２２まで通し、これにケーブル２８内の電線を接続する。ヒンジ状シャフト２５は夫々、ラッチ凹部３９を有し、好適には幾分偏心して配設される。カバー１が、例えば１６０°といった、制限角度で折りたたまれると、取付け手段１４のラッチ爪がラッチ凹部まで摺動し、その位置でカバー１を固定する。
【００２２】
ケーブル配線経路３２は、カテゴリ６といった高いデータ転送速度用の電気ケーブル２８の最小屈曲半径と対応するように設計される。図から分かるように、特に図６においてそうであるが、ケーブル配線経路３２の構成により積極的な配線となるため、技術者がケーブル２８を最小屈曲半径よりも小さく屈曲したり、ねじったりすることも無くなる。
【００２３】
図４及び５は、第二操作モードを示しており、図中、ケーブル配線部材２１を下側部品２１内で１８０°回転して配設しているので、Ｕ字型リム３０は端面２３上に配設される。このとき、カバー１は取付け手段１４により、端面２４上のヒンジ状シャフト２５上へとヒンジ結合する。しかし、これには、壁付アウトレット内部に異なるケーブル配線を必要とすることとなる。その為、電気ケーブル２８は、まず開口部２７から、端面２３からのケーブル配線経路３３（図６を参照）を介して、端面２４まで通され、ここで曲げられケーブル配線経路３４を介して差込口２２へと配線される。
【００２４】
このように、プラグによるタッピングを、着脱可能なケーブル配線部材２１と、２つの端面２３、２４上に配設されたヒンジ状シャフト２５とによって、端面２３又は２４上に任意選択的に設けることができる。例えば壁接続盤が壁に取り付けられ、背面部より電気ケーブル２８が配線される場合にも、図４及び５に示すような第二操作モードは、プラグによるタッピングを背面部からでも可能とすることを、やはり確実に実行できるようにする。
【００２５】
ケーブル配線部材２１を図６及び７に詳細に図示する。既に説明してきた部材に加え、好適な集合配線部材２１は、下側部品２０の内面に対して弾性的にケーブル配線部材２１を押圧する、一対のばね部材３６を有する。ケーブル配線部材２１はまた、下側部品の下面に対して弾性的にケーブル配線部材２１を支持する、第二ばね部材３６を有する。このとき、ばね部材３６は、差込口２２の高さを整列し、差込口２２は主として止端３７により長手方向に固定される。剛性を増大させるために、ケーブル配線部材２１は、さらに、ケーブル配線経路３４の領域に強化リブ３８を有する。ケーブル配線部材２１は、ばね部材３５の反対側に、下側部品２０の対応する凹部と掛着するような突起部４１を有する。
【図面の簡単な説明】
【００２６】
【図１】カバーの斜視図である。
【図２】背面から見たカバーの斜視図である。
【図３】差込口が第一操作モードにあり、ケーブル配線部材が挿入されている状態の下側部品の斜視図である。
【図４】差込口が第二操作モードにあり、ケーブル配線部材が挿入されている状態の下側部品の斜視図である。
【図５】下側部品の他の斜視図である。
【図６】ケーブル配線部材の斜視図である。
【図７】背面から見たケーブル配線部材の斜視図である。
【符号の説明】
【００２７】
１  カバー
２  フラップ
３  開口部
４  アタッチメント
５  シール部材
６  鉛封印部材
７  穴
８  蓋
９  穴
１０  ラッチ溝
１１  シール溝
１２  穴
１３  端面
１４  取付け手段
１５  ばね
１６  取付け補助具
２０  下側部品
２１  ケーブル配線部材
２２  差込口
２３  端面
２４  端面
２５  ヒンジ状シャフト
２６  溝
２７  開口部
２８  ケーブル
２９  シール部材
３０  Ｕ字型リム
３１  クランプリブ
３２  ケーブル配線経路
３３  ケーブル配線経路
３４  ケーブル配線経路
３５  ばね部材
３６  ばね部材
３７  止端
３８  補強リブ
３９  ラッチ凹部
４０  シール材
４１  突起部
【図１】
2007510396.tif 000003
【図２】
2007510396.tif 000004
【図３】
2007510396.tif 000005
【図４】
2007510396.tif 000006
【図５】
2007510396.tif 000007
【図６】
2007510396.tif 000008
【図７】
2007510396.tif 000009
【国際調査報告】
2007510396.tif 000010
2007510396.tif 000011
2007510396.tif 000012
2007510396.tif 000013